(57)【要約】【課題】複数の線速（ライン周期）で読み取るモードを持っている場合、一定の精度を保ちつつ、白レベル調整時間を短縮できるようにする。【解決手段】省エネモードから復帰又は電源ｏｎとなると（Ｓ１０２）。ホーミングと初期データの設定を行い（Ｓ１０３）、白レベル調整を開始する（Ｓ１０４）。白レベル調整では初めにライン周期をカラーモードの値に設定する（Ｓ１０５）。そして、ライン周期をカラーモードにしたまま、所定のゲイン調整アルゴリズムによってＲのゲイン調整を行う（Ｓ１０６）。Ｒのゲイン調整が行われた後、ライン周期をカラーモードにしたまま、Ｒと同様のゲイン調整をＧとＢに対して行う（Ｓ１０７，１０８）。Ｓ１０８の処理を終えると、Ｓ２０１でモノクロモードの全てのチャンネルのゲインを線速（もしくはライン周期）の比によって算出する。【選択図】図１
2007213439.tif 000002
【特許請求の範囲】
【請求項１】
複数の異なる線速を切り替えて読み取る画像読み取り装置であって、
白レベル目標値に白レベルを調整するためのゲイン調整アルゴリズムと、
それぞれの線速毎に別々のゲイン調整値を設定する設定手段と、
ある１つの線速でゲイン調整を行った後、別の線速のゲイン調整を行う場合、前記ある１つの線速をゲイン調整するときは、ゲイン調整アルゴリズムによってゲイン値を算出し、その他の線速をゲイン調整するときは、前記ある１つの線速のゲイン調整アルゴリズムによって算出されたゲイン値に基づいて前記ある１つの線速と別の線速間のある特性値の比を用いて、前記ゲイン調整アルゴリズムを使うことなくゲインを算出する算出手段と、
を備えていることを特徴とする画像読み取り装置。
【請求項２】
ラインセンサを複数のチャンネル分持ち、複数の異なる線速を切り替えて読み取る画像読み取り装置であって、
白レベル目標値に白レベルを調整するためのゲイン調整アルゴリズムと、
それぞれの線速毎に別々のゲイン調整値を設定する設定手段と、
ある１つの線速で全てのチャンネルのゲイン調整を行った後、別の線速のゲイン調整を行う場合、前記のある１つの線速と別の線速間のある特性値の比を用い、前記ゲイン調整アルゴリズムを使うことなく全てのチャンネルのゲインを算出する算出手段と、
を備えていることを特徴とする画像読み取り装置。
【請求項３】
ラインセンサを複数のチャンネル分持ち、複数の異なる線速を切り替えて読み取る画像読み取り装置であって、
白レベル目標値に白レベルを調整するためのゲイン調整アルゴリズムと、
それぞれの線速毎に別々のゲイン調整値を設定する設定手段と、
ある１つの線速で全てのチャンネルのゲイン調整を行った後、別の線速のゲイン調整を行う場合、ある１つのチャンネルのみ前記ゲイン調整アルゴリズムを用いてゲイン算出し、他のチャンネルは前記のある１つの線速のゲイン調整アルゴリズムによって算出されたゲイン値に基づいて前記のある１つの線速と別の線速間のある特性値の比を用いて、前記ゲイン調整アルゴリズムを使うことなくゲインを算出する算出手段と、
を備えていることを特徴とする画像読み取り装置。
【請求項４】
前記ある特性値の比が、線速の比であることを特徴とする請求項１ないし３のいずれか１項に記載の画像読み取り装置。
【請求項５】
ラインセンサを複数のチャンネル分持ち、複数の異なる線速を切り替えて読み取る画像読み取り装置であって、
白レベル目標値に白レベルを調整するためのゲイン調整アルゴリズムと、
それぞれの線速毎に別々のゲイン調整値を設定する設定手段と、
ある１つの線速で全てのチャンネルのゲイン調整を行った後、別の線速のゲイン調整を行う場合、ある１つのチャンネルのみ前記ゲイン調整アルゴリズムを用いてゲイン算出し、他のチャンネルは前記の別の線速でも前記ゲイン調整アルゴリズムを用いるチャンネルと別のチャンネルの１回目のゲイン算出結果の比を、別の線速のゲイン調整で前記ゲイン調整アルゴリズムを用いてゲイン算出するチャンネルのゲイン算出結果に用い、他のチャンネルのゲインを算出する算出手段と、
を備えていることを特徴とする画像読み取り装置。
【請求項６】
請求項１ないし５のいずれか１項に記載の画像読み取り装置を備えていることを特徴とする画像形成装置。
【発明の詳細な説明】
【技術分野】
【０００１】
本発明は複数の線速（ライン周期）で読み取り動作を行う画像読み取り装置及びこの画像読み取り装置を備えた複写機、プリンタ、ファクシミリ、デジタル複合機などの画像形成装置に関する。
【背景技術】
【０００２】
図５は従来から実施されている画像読み取り装置の概略構成を示す図である。同図において、画像読み取り装置１の上部にはコンタクトガラス２と白基準板３が配置される。コンタクトガラス２は原稿４を読み取る際にセットするためのものである。原稿４は図１には図示しないが、上から圧板と称せられる原稿押さえ板によりコンタクトガラスから浮かないように押さえられる。勿論、公知の様にＡＤＦ（オートドキュメントフィーダ）が付設される場合もある。また、白基準板３はシェーディング補正時の補正データを得るため、主走査方向に設けられた均一濃度のほぼ白色の部材である。画像読み取り装置１の図示において両側に設けられた第１のファン５と第２のファン６は、吸気あるいは排気を行うファンである。
【０００３】
光源７は白基準板３あるいはコンタクトガラス２面に対してある角度で読み取り面を照射し、白基準板３あるいは原稿４で反射した光は第１ないし第３の３枚のミラー８，９，１０で反射され、レンズ１１を通って光電変換素子であるＣＣＤ１２に入射する。光源７と第１ミラー８、及び第２及び第３ミラー９，１０は各々図示しない第１、２キャリッジに搭載され、モータ駆動により原稿４の読み取り面とＣＣＤ１２間距離を一定に保ちながら副走査方向に２対１の速度で移動する。ＣＣＤ１２は入射光量に対応した電圧をアナログ画像信号として出力し、読み取り基板１３に搭載されたＡＤＣによりデジタル画像信号に変換して、所定の処理を行った後に画像処理部１４に転送される。
【０００４】
このような画像読み取り装置１において、上記したような原稿４の読み取りに先立って、ＡＤＣのダイナミックレンジを有効に利用するため、前記基準白板３の読み取りレベルが所定のレベルとなるような調整が行われる。この調整は、画像読み取り装置１の電源投入時に第１キャリッジを白基準板３の読み取り位置に移動させて光源７を点灯させ、ＣＣＤ１２の出力信号の増幅率（ゲイン）を増減することによって白基準板３の読み取りレベルが所定のレベル（白レベル目標値）となるようにゲインを調整するものである。複数のラインセンサがあった場合、例えばＲＧＢの３つのラインセンサでは、Ｒのゲイン調整→Ｇのゲイン調整→Ｂのゲイン調整のように、ラインセンサ１個ずつに対して順番にゲインを算出し、設定していく。この場合、ＲＧＢ３本のラインセンサを１本ずつ調整するので、１本のモノクロＣＣＤ１２に対して３倍の調整時間がかかることになる。そこで、特許文献１においては、ＲＧＢ３色のラインセンサに対して、まず、工場出荷時のそれぞれの調整値（ゲイン）を装置に記憶しておき、ユーザ使用時にはＲＧＢのうちの１つの第１の色データに対して工場出荷時と同様の調整を行い、第１の色データに対して調整した値と装置に記憶された調整値に基づいて他の２つの第２の色データに対して調整処理を行うようにしている。この処理は、読み取り基板１３内で実行され、画像処理部１４には、補正された、あるいは調整されたデータが入力される。
【０００５】
具体的には、工場出荷時の白レベル調整値を
Ｒ：α
Ｇ：γ
Ｂ：ε
とし、ユーザ使用時の白レベル調整値を
Ｒ：αｎｅｗ
Ｇ：γｎｅｗ
Ｂ：εｎｅｗ
とすると、Ｇは調整値そのままを設定し、Ｒ、Ｂは、
Ｒ：αｎｅｗ＝（α／γ）×γｎｅｗ
Ｂ：εｎｅｗ＝（ε／γ）×γｎｅｗ
というように工場出荷時の調整設定値の比を利用して、他の２色の調整設定値を求め、設定する。このことにより、従来行っていた３色の調整を行うことなく１色の調整から代用設定値を求めることができるため、装置の立ち上がり時間を大幅に短縮することができるようになった。
【特許文献１】特開２００４−２１４７２３号公報
【発明の開示】
【発明が解決しようとする課題】
【０００６】
しかし、この方法では、工場出荷時の白レベル調整値の比
α：γ：ε
が、ユーザ使用時の白レベル調整値の比
αｎｅｓ：γｎｅｗ：εｎｅｗ
と等しくなければ正確な調整はできないと言える。光源であるランプの光量がユーザの長期的にわたる使用の中で最も大きく変動する要因となるが、普通そのＲＧＢ成分の変動度合いは一定ではない。よって、多くの場合、前記のような工場出荷時の白レベル調整値との比を利用したとしても、正しい調整が行われるとは限らない。さらに言えば、正しい調整が行われない可能性の方が高い。また、画像読み取り装置で複数の線速（ライン周期）で読み取るモードを持っている場合、ＣＣＤの電荷蓄積時間そのものが変化するため、前記のようにＲＧＢの３つの調整値の比では正確な調整ができなくなってしまう。
【０００７】
図６は従来から実施されている読み取り基板１３内で行われるゲイン調整の処理手順を示すフローチャートである。図６のフローチャートに沿って従来のゲイン調整手順について説明する。
【０００８】
読み取り装置は前出の図５のような構成となっている。ここでは、本発明の想定するシステムの例として、線速（ライン周期）の異なるカラーモードとモノクロモードを持つ、ＲＧＢの３つのラインセンサを持つＣＣＤを搭載する画像読み取り装置について説明する。この例では、省エネモード、又は電源遮断から復帰したタイミングで白レベル調整を行うが、別のタイミングで白レベル調整を行う場合でも本発明の動作は問題無く行うことができる。
【０００９】
図６において、省エネモード中、又は電源遮断中、画像読み取り装置の設定値は初期値（リセット状態）となっている（ステップＳ１０１）。省エネモードから復帰、又は電源ｏｎとなると（ステップＳ１０２）。キャリッジをホームポジションに戻すホーミングと初期データの設定を行い（ステップＳ１０３）、白レベル調整を開始する（ステップＳ１０４）。白レベル調整が開始されると、まず初めにカラーモードのゲイン調整をするので、ライン周期をカラーモードの値に設定する（ステップＳ１０５）。そして、ライン周期をカラーモードにしたまま、Ｒのゲイン調整を行う（ステップＳ１０６）。ここで使用されるゲイン調整アルゴリズムは、以下のようなものである。
【００１０】
まず、デフォルトのゲイン値で基準白板３を読み取ったデジタル値と、狙いとなる基準白板目標値を比較し、読み取り値が狙いとなる基準白板目標値になるようにゲイン値を設定して、基準白板３を再度読み取る。ゲイン値は外部から設定した値に対して、リニアな値をとらないので前記の一度の演算で目標値どおりにはならない。そこで、ゲインアンプの特性をゲイン調整アルゴリズムに加味することにより、アルゴリズムのループが１０回程度以下で基準白板目標値に読み取りレベルが近づくようにする。また、図示はしていないが、このゲイン調整アルゴリズムのループが規定の回数以上かかってしまうような場合には、ランプが消灯していたり、ＣＣＤが壊れていたり、といった不具合が予想されるので、白レベル調整エラーを検出し、ユーザに通知する必要がある。
【００１１】
このようにしてＲのゲイン調整が行われた後、ライン周期をカラーモードにしたまま、Ｒと同様のゲイン調整をＧに対して行う（ステップＳ１０７）。さらに、ライン周期をカラーモードにしたままＧと同様のゲイン調整をＢに対して行う（ステップＳ１０８）。次いで、モノクロモードのゲイン調整をするためライン周期をモノクロモードの値に設定し（ステップＳ１０９）、ライン周期をモノクロモードにしたままステップＳ１０６と同様のゲイン調整をモノクロモードのＲに対して行う（ステップＳ１１０）。モノクロモードではＲＧＢのうち１チャンネル（通常Ｇ）を使用するので、１チャンネル分のゲイン調整で良い場合もあるが、画像処理で文字・図形の分離などに、他のチャンネルのデータも使用する場合があるため、ここでは全てのチャンネルのゲイン調整をモノクロモードでも行っている。また、それぞれ線速（ライン周期）が異なる複数のカラーモードを持つシステムとなっていれば、やはりライン周期毎に全てのチャンネルのゲイン調整を行う必要がある。
【００１２】
以下、ライン周期をモノクロモードにしたままステップＳ１０６と同様のゲイン調整をモノクロモードのＧ及びＢに対して行う（ステップＳ１１１，Ｓ１１２）。この処理手順ではモノクロモードとカラーモードの２種類のライン周期を持つので、２つのモードのゲイン調整が終わると、白レベル調整が終了となる。さらに複数のライン周期のモードを持つ場合には、そのライン周期毎のゲイン調整をそれぞれ行ってから、白レベル調整が終了となる（ステップＳ１１３）。
【００１３】
このフローチャートから分かるように複数の線速（ライン周期）で読み取るモードを持っている場合、白レベル調整時間が長くなる。
【００１４】
本発明は、このような従来技術の実情に鑑みてなされたもので、その課題は、複数の線速（ライン周期）で読み取るモードを持っている場合、一定の精度を保ちつつ、白レベル調整時間を短縮できるようにすることである。
【課題を解決するための手段】
【００１５】
前記課題を解決するため、第１の手段は、複数の異なる線速を切り替えて読み取る画像読み取り装置であって、白レベル目標値に白レベルを調整するためのゲイン調整アルゴリズムと、それぞれの線速毎に別々のゲイン調整値を設定する設定手段と、ある１つの線速でゲイン調整を行った後、別の線速のゲイン調整を行う場合、前記ある１つの線速をゲイン調整するときは、ゲイン調整アルゴリズムによってゲイン値を算出し、その他の線速をゲイン調整するときは、前記ある１つの線速のゲイン調整アルゴリズムによって算出されたゲイン値に基づいて前記ある１つの線速と別の線速間のある特性値の比を用いて、前記ゲイン調整アルゴリズムを使うことなくゲインを算出する算出手段とを備えていることを特徴とする。
【００１６】
第２の手段は、ラインセンサを複数のチャンネル分持ち、複数の異なる線速を切り替えて読み取る画像読み取り装置であって、白レベル目標値に白レベルを調整するためのゲイン調整アルゴリズムと、それぞれの線速毎に別々のゲイン調整値を設定する設定手段と、ある１つの線速で全てのチャンネルのゲイン調整を行った後、別の線速のゲイン調整を行う場合、前記のある１つの線速と別の線速間のある特性値の比を用い、前記ゲイン調整アルゴリズムを使うことなく全てのチャンネルのゲインを算出する算出手段とを備えていることを特徴とする。
【００１７】
第３の手段は、ラインセンサを複数のチャンネル分持ち、複数の異なる線速を切り替えて読み取る画像読み取り装置であって、白レベル目標値に白レベルを調整するためのゲイン調整アルゴリズムと、それぞれの線速毎に別々のゲイン調整値を設定する設定手段と、ある１つの線速で全てのチャンネルのゲイン調整を行った後、別の線速のゲイン調整を行う場合、ある１つのチャンネルのみ前記ゲイン調整アルゴリズムを用いてゲイン算出し、他のチャンネルは前記のある１つの線速のゲイン調整アルゴリズムによって算出されたゲイン値に基づいて前記のある１つの線速と別の線速間のある特性値の比を用いて、前記ゲイン調整アルゴリズムを使うことなくゲインを算出する算出手段とを備えていることを特徴とする。
【００１８】
第４の手段は、第１ないし第３のいずれかの手段において、前記ある特性値の比が線速の比であることを特徴とする。
【００１９】
第５の手段は、ラインセンサを複数のチャンネル分持ち、複数の異なる線速を切り替えて読み取る画像読み取り装置であって、白レベル目標値に白レベルを調整するためのゲイン調整アルゴリズムと、それぞれの線速毎に別々のゲイン調整値を設定する設定手段と、ある１つの線速で全てのチャンネルのゲイン調整を行った後、別の線速のゲイン調整を行う場合、ある１つのチャンネルのみ前記ゲイン調整アルゴリズムを用いてゲイン算出し、他のチャンネルは前記の別の線速でも前記ゲイン調整アルゴリズムを用いるチャンネルと別のチャンネルの１回目のゲイン算出結果の比を、別の線速のゲイン調整で前記ゲイン調整アルゴリズムを用いてゲイン算出するチャンネルのゲイン算出結果に用い、他のチャンネルのゲインを算出する算出手段とを備えていることを特徴とする。
【００２０】
第６の手段は、第１ないし第５のいずれかの手段に係る画像読み取り装置を画像形成装置が備えていることを特徴とする。
【発明の効果】
【００２１】
本発明によれば、ある１つの線速でゲイン調整を行った後、別の線速のゲイン調整を行う場合、前記ある１つの線速をゲイン調整するときはゲイン調整アルゴリズムを使用し、前記別の線速のゲイン調整を行うときは前記ゲイン調整アルゴリズムを使用して算出された前記ある１つの線速のゲイン調整値を使用してゲイン調整を行うので、一定の精度を保った上で、白レベル調整時間を短縮することができる。
【発明を実施するための最良の形態】
【００２２】
以下、本発明の実施形態について図面を参照して説明する。
【００２３】
なお、画像読み取り装置自体は図５に示した従来例と同等なので同等な各部には同一の参照符号を付し、説明は省略する。本実施形態の特徴は基準白板３を読み取ってラインセンサの白レベルを調整することにあるので、以下、実施例として白レベル調整の処理手順について説明する。
【実施例１】
【００２４】
図１は、白レベル調整における実施例１の処理手順を示すフローチャートである。同図において、省エネモード中、又は電源遮断中、画像読み取り装置の設定値は初期値（リセット状態）となっている（ステップＳ１０１）。省エネモードから復帰、又は電源ｏｎとなると（ステップＳ１０２）。キャリッジをホームポジションに戻すホーミングと初期データの設定を行い（ステップＳ１０３）、白レベル調整を開始する（ステップＳ１０４）。白レベル調整が開始されると、まず初めにカラーモードのゲイン調整をするので、ライン周期をカラーモードの値に設定する（ステップＳ１０５）。そして、ライン周期をカラーモードにしたまま、Ｒのゲイン調整を行う（ステップＳ１０６）。ここで使用されるゲイン調整アルゴリズムは、以下のようなものである。
【００２５】
まず、デフォルトのゲイン値で基準白板３を読み取ったデジタル値と、狙いとなる基準白板目標値を比較し、読み取り値が狙いとなる基準白板目標値になるようにゲイン値を設定して、基準白板３を再度読み取る。ゲイン値は外部から設定した値に対して、リニアな値をとらないので前記の一度の演算で目標値どおりにはならない。そこで、ゲインアンプの特性をゲイン調整アルゴリズムに加味することにより、アルゴリズムのループが１０回程度以下で基準白板目標値に読み取りレベルが近づくようにする。また、図示はしていないが、このゲイン調整アルゴリズムのループが規定の回数以上かかってしまうような場合には、ランプが消灯していたり、ＣＣＤ１２が壊れていたり、といった不具合が予想されるので、白レベル調整エラーを検出し、ユーザに通知する必要がある。
【００２６】
このようにしてＲのゲイン調整が行われた後、ライン周期をカラーモードにしたまま、Ｒと同様のゲイン調整をＧに対して行う（ステップＳ１０７）。さらに、ライン周期をカラーモードにしたままＧと同様のゲイン調整をＢに対して行う（ステップＳ１０８）。なお、ここでは重複して説明したが、ステップＳ１０１からステップＳ１０８までの処理は図２に示した従来例と同一である。
【００２７】
ステップＳ１０８の処理を終えると、ステップＳ２０１でモノクロモードの全てのチャンネルのゲインを、線速（もしくはライン周期）の比によって算出する。すなわち、
ＧＲｃ：カラーモードＲチャンネルゲイン算出結果
ＧＧｃ：カラーモードＧチャンネルゲイン算出結果
ＧＢｃ：カラーモードＢチャンネルゲイン算出結果
ＧＲｂｗ：モノクロモードＲチャンネルゲイン算出結果
ＧＧｂｗ：モノクロモードＧチャンネルゲイン算出結果
ＧＢｂｗ：モノクロモードＢチャンネルゲイン算出結果
Ｖｃ：カラーモード線速
Ｖｂ：モノクロモード線速
Ｔｃ：カラーモードライン周期
Ｔｂ：モノクロモードライン周期
とすると、モノクロモードのゲインは、
ＧＲｂｗ＝ＧＲｃ×Ｖｂ／Ｖｃ
ＧＧｂｗ＝ＧＧｃ×Ｖｂ／Ｖｃ
ＧＢｂｗ＝ＧＢｃ×Ｖｂ／Ｖｃ
もしくは、
ＧＲｂｗ＝ＧＲｃ×Ｔｃ／Ｔｂ
ＧＧｂｗ＝ＧＧｃ×Ｔｃ／Ｔｂ
ＧＢｂｗ＝ＧＢｃ×Ｔｃ／Ｔｂ
のようにして算出される。
【００２８】
このようにしてステップＳ２０１でモノクロモードの全てのチャンネルのゲインが算出され、全てのモード・チャンネルのゲインが設定されると、白レベル調整が終了する（ステップＳ１１３）。
【００２９】
このフローチャートから分かるように実施例１は、従来例におけるステップＳ１０９からステップＳ１１２までのモノクロモードのゲイン調整をステップＳ２０１で一括して行っていることになり、その分、処理時間の短縮化を図ることができる。
【実施例２】
【００３０】
図２は本実施形態における実施例２の処理手順を示すフローチャートである。従来例及び実施例１と同等な処理には同一の参照符号を付し、重複する説明は省略する。
【００３１】
この実施例２は従来例におけるステップＳ１０９からステップＳ１１２までの処理、実施例１におけるステップＳ２０１の処理をステップＳ３０１からステップＳ３０３までの処理に置換したものである。すなわち、ステップＳ１０８までのカラーモードのゲイン調整が終了すると、モノクロモードのゲイン調整をするためライン周期をモノクロモードの値に設定する（ステップＳ３０１）。次いで、ライン周期をモノクロモードにしたままステップＳ１０６と同様のゲイン調整をモノクロモードのＧに対して行う（ステップＳ３０２）。モノクロモードではＲＧＢのうち１チャンネル（通常Ｇ）を使用するので、１チャンネル分のゲイン調整で良い場合もあるが、画像処理で文字・図形の分離などに、他のチャンネルのデータも使用する場合があるため、以下のステップにおいて前述のアルゴリズムを使わずにＲＢのチャンネルのゲインを算出する（ステップＳ３０３）。
【００３２】
ＲＢチャンネルのモノクロモードのゲインは、
ＧＲｂｗ＝ＧＲｃ×Ｖｂ／Ｖｃ
ＧＢｂｗ＝ＧＢｃ×Ｖｂ／Ｖｃ
もしくは、
ＧＲｂｗ＝ＧＲｃ×Ｔｃ／Ｔｂ
ＧＢｂｗ＝ＧＢｃ×Ｔｃ／Ｔｂ
のようにして算出される。なお、ＧＲｂｗなどの各パラメータは図１のステップＳ２０１で説明した通りである。
【００３３】
このようにしてＲとＢのモノクロモードのチャンネルゲインが算出されると、ステップＳ３０２でＧに対するモノクロモードのチャンネルゲインが算出されているのでモノクロモードの全てのチャンネルのゲインが算出されたことになる。このようにして全てのモード・チャンネルのゲインが設定されると、白レベル調整が終了する（ステップＳ１１３）。
【００３４】
このフローチャートから分かるように実施例２は、従来例におけるステップＳ１０９からステップＳ１１２までのモノクロモードのゲイン調整をステップＳ３０１〜ステップＳ３０３で行っていることになり、その分、処理時間の短縮化を図ることができる。
【実施例３】
【００３５】
図３は本実施形態における実施例３の処理手順を示すフローチャートである。従来例及び実施例２と同等な処理には同一の参照符号を付し、重複する説明は省略する。
【００３６】
この実施例３は実施例２におけるステップＳ３０３の処理をステップＳ４０１の処理に置換したものである。すなわち、ステップＳ１０８までのカラーモードのゲイン調整が終了し、さらにステップＳ３０２までのモノクロモードのＧのゲイン調整が終了すると、ＲＢチャンネルのモノクロモードのゲインを算出する（ステップＳ４０１）。このゲインは、
ＧＲｂｗ＝ＧＧｂｗ×ＧＲｃ／ＧＧｃ
ＧＢｂｗ＝  ＧＧｂｗ×ＧＢｃ／ＧＧｃ
のようにして算出される。なお、ＧＲｂｗなどの各パラメータは図１のステップＳ２０１で説明した通りである。
【００３７】
このようにしてＲとＢのモノクロモードのチャンネルゲインが算出されると、ステップＳ３０２でＧに対するモノクロモードのチャンネルゲインが算出されているのでモノクロモードの全てのチャンネルのゲインが算出されたことになる。このようにして全てのモード・チャンネルのゲインが設定されると、白レベル調整が終了する（ステップＳ１１３）。
【００３８】
このフローチャートから分かるように実施例３は、従来例におけるステップＳ１０９からステップＳ１１２までのモノクロモードのゲイン調整をステップＳ３０１，Ｓ３０２及びＳ４０１で行っていることになり、その分、処理時間の短縮化を図ることができる。
【００３９】
図７は前記実施形態に係る画像読み取り装置を備えた画像形成装置の概略構成を示す図である。この画像形成装置１００は、複写機能とこれ以外の機能、例えばプリンタ機能、ファクシミリ機能とを有するいわゆる複合機能を有する画像形成装置であり、操作部のアプリケーション切り替えキーにより複写機能、プリンタ機能、ファクシミリ機能を順次に切り替えて選択することが可能である。複写機能の選択時には複写モードとなり、プリンタ機能の選択時にはプリントモードとなり、ファクシミリモードの選択時にはファクシミリモードとなる。
【００４０】
まず、複写モードでは、次のように動作する。自動原稿送り装置（以下ＡＤＦという）１０１においては、原稿台１０２に原稿がその画像面を上にして置かれてなる原稿束は、操作部上のスタートキーが押下されると、一番下の原稿が給送ローラ１０３、給送ベルト１０４によってコンタクトガラスからなる原稿台１０５上の所定の位置に給送される。ＡＤＦ１０１は一枚の原稿の給送完了毎に原稿枚数をカウントアップするカウント機能を有する。コンタクトガラス１０５上の原稿は、読み取り手段としての画像読み取り装置１０６によって画像情報が読み取られた後に、給送ベルト１０４、排送ローラ１０７によって排紙台１０８上に排出される。
【００４１】
原稿セット検知器１０９によって原稿台１０２上に次の原稿があることが検知された場合には、同様に原稿台１０２上の一番下の原稿が給紙ローラ１０３、給送ベルト１０４によってコンタクトガラス１０５上の所定の位置に給送される。このコンタクトガラス１０５上の原稿は、画像読み取り装置１０６によって画像情報が読み取られた後に、給送ベルト１０４、排送ローラ１０７によって排紙台１０８上に排出される。ここに、給送ローラ１０３、給送ベルト１０４及び排送ローラ１０７は図示しない搬送モータによって駆動される。
【００４２】
画像読み取り装置１０６は光源１２８及び第１ミラー１２９を搭載し、副走査方向に移動走査する第１キャリッジと、第２及び第３ミラー１３０，１３１を搭載し、前記第１キャリッジの１／２の速度で副走査方向に移動走査する第２キャリッジと、第３ミラー１３１から導入された読み取り光を結像するレンズ１３２と、このレンズ１３２によって結像面に導かれた読み取り光を光電変換するＣＣＤ１２などの光電変換素子１３３とからなる。なお、この画像読み取り装置１０６が図５に示した画像読み取り装置１に対応する。
【００４３】
給紙手段としての第１給紙装置１１０、第２給紙装置１１１、第３給紙装置１１２は、選択されたときに各々第１トレイ１１３、第２トレイ１１４、第３トレイ１１５に積載された転写材としてのシートを給送し、このシートは縦搬送ユニット１１６によって像担持体としての感光体１１７に当接する位置まで搬送される。感光体１１７は、例えば感光体ドラムが用いられ、図示しないメインモータにより一定速度で回転駆動される。
【００４４】
画像読み取り装置１０６によって原稿から読み込まれた画像データは図示しない画像処理手段を介して書き込み手段としての書き込みユニット１１８によって光情報に変換される。書き込みユニット１１８は変換された光情報を、ＬＤを発光源とする光偏向装置１３４と等角速度偏向から等速度偏向へと変換して主走査方向に光走査するｆθレンズ１３５と、図示しない帯電器により一様に帯電された感光体ドラム１１７表面に光ビームを走査するための折り返しミラー１３６とからなり、感光体ドラム１１７表面を光走査して光書き込みを実行し、静電潜像が形成される。この感光体ドラム１１７上の静電潜像は現像装置１１９により現像されてトナー像となる。
【００４５】
搬送ベルト１２０は、シート搬送手段及び転写手段を兼ねていて電源から転写バイアスが印加され、縦搬送ユニット１１６からのシートを感光体ドラム１１７と等速で搬送しながら感光体ドラム１１７上のトナー像をシートに転写させる。このシート表面のトナー像は、定着装置１２１により定着され、排紙ユニット１２２により排紙トレイ１２３に排出される。感光体ドラム１１７はトナー像転写後に図示しないクリーニング装置によりクリーニングされる。ここに、感光体ドラム１１７、帯電器、書き込みユニット１１８、現像装置１１９、転写手段は画像データにより画像をシート上に形成する画像形成手段を構成している。
【００４６】
排紙ユニット１２２には両面給紙トレイ１２５にシートを搬送するための分岐爪が設けられ、両面に画像を形成する場合、あるいは反転して排紙させる場合には搬送路１２４から両面給紙トレイ１２５にシートは導かれる。そして、反転して排紙させる場合には反転排紙搬送路１２７に導かれて排紙トレイ１２３に排紙され、両面に画像形成する場合には、両面搬送路１２６から縦搬送路１１６の搬送ローラ１５１にシートを導き、レジストローラ対１４９，１５０でタイミングをとって感光体ドラム１１７側に搬送し、シート裏面に画像を形成する。
【００４７】
プリントモードでは、前記画像処理手段からの画像データの代わりに外部からの画像データが書き込みユニット１１８に入力されて上述の画像形成手段によりシート上に画像が形成される。さらに、ファクシミリモードでは、上記画像読み取り手段からの画像データが図示しないファクシミリ送受信部により相手に送信され、相手からの画像データがファクシミリ送受信部で受信されて上記画像処理手段からの画像データの代わりに書き込みユニット１１８に入力されることにより、上述の画像形成手段によりシート上に画像が形成される。
【００４８】
以上のように本実施形態によれば、
１）複数の異なる線速（ライン周期）でそれぞれ白レベル調整する場合に、調整時間を短くすることができる。  
２）複数の異なる線速（ライン周期）でそれぞれ複数のラインセンサ毎に白レベル調整する場合に、調整時間を短くすることができる。  
３）複数の異なる線速（ライン周期）でそれぞれ複数のラインセンサ毎に白レベル調整する場合に、ある線速（ライン周期）において精度の欲しいチャンネルのみ通常のゲイン調整アルゴリズムを使うことにより、精度の必要ないチャンネルに余計な時間をかけずに白レベル調整を行うことができる。  
４）複数の異なる線速（ライン周期）でそれぞれ複数のラインセンサ毎に白レベル調整する場合に、ある線速（ライン周期）において精度の欲しいチャンネルのみ通常のゲイン調整アルゴリズムを使うことによって精度の必要ないチャンネルに余計な時間をかけずに白レベル調整を行うことができる。  
などの効果を奏する。
【図面の簡単な説明】
【００４９】
【図１】本発明の実施形態における実施例１の白レベル調整の処理手順を示すフローチャートである。
【図２】本発明の実施形態における実施例２の白レベル調整の処理手順を示すフローチャートである。
【図３】本発明の実施形態における実施例３の白レベル調整の処理手順を示すフローチャートである。
【図４】本発明の実施形態に係る画像読み取り装置を備えた画像形成装置の概略構成を示す図である。
【図５】本発明の実施形態及び従来例における画像読み取り装置の概略構成を示す図である。
【図６】従来例に係る白レベル調整の処理手順を示すフローチャートである。
【符号の説明】
【００５０】
１，１０６  画像読み取り装置
２，１０５  コンタクトガラス
３  白基準板
４  原稿
７，１２８  光源
８，９，１０，１２９，１３０，１３１  ミラー
１１，１３２  レンズ
１２，１３３  ＣＣＤ（ラインセンサ）
１３  読み取り基板
１４  画像処理部
【図１】
2007213439.tif 000003
【図２】
2007213439.tif 000004
【図３】
2007213439.tif 000005
【図４】
2007213439.tif 000006
【図５】
2007213439.tif 000007
【図６】
2007213439.tif 000008